(57)【要約】【課題】データ管理装置で行われる帰属先の変更処理の繰り返しを抑制すること。【解決手段】信号制御装置１は、取得していた端末情報を削除するための削除要求をデータ管理装置３から受信した際に記憶しておき、帰属している端末Ｃから信号を受信した後、その削除要求を受信しており、かつ、その削除要求を受信後の任意の時刻から現在までの経過時間が一定時間よりも小さい場合、端末Ｃの端末情報をデータ管理装置へ要求しない。【選択図】図２
2015231061.tif 000002
【特許請求の範囲】
【請求項１】
グルーピングされた端末からの信号を契機に前記端末の端末情報をデータ管理装置へ要求する信号制御装置において、
前記データ管理装置は、前記端末情報の要求に基づき前記端末が帰属する帰属先の信号制御装置を変更する装置であって、
前記信号制御装置は、
取得していた端末情報を削除するための削除要求を前記データ管理装置から受信した際に記憶しておく削除要求記憶手段と、
帰属している帰属端末から信号を受信した後、前記削除要求を受信しており、かつ、前記削除要求を受信後の任意の時刻から現在までの経過時間が一定時間よりも小さい場合、前記帰属端末の端末情報を前記データ管理装置へ要求しない端末情報要求手段と、
を有することを特徴とする信号制御装置。
【請求項２】
前記端末情報要求手段は、
前記経過時間が一定時間よりも大きい場合、前記帰属端末の端末情報を前記データ管理装置へ要求することを特徴とする請求項１に記載の信号制御装置。
【請求項３】
グルーピングされた端末からの信号を契機に前記端末の端末情報をデータ管理装置へ要求する信号制御装置で行う信号制御方法において、
前記データ管理装置は、前記端末情報の要求に基づき前記端末が帰属する帰属先の信号制御装置を変更する装置であって、
前記信号制御装置により、
取得していた端末情報を削除するための削除要求を前記データ管理装置から受信した際に削除要求記憶手段に記憶しておく記憶ステップと、
帰属している帰属端末から信号を受信した後、前記削除要求を受信しており、かつ、前記削除要求を受信後の任意の時刻から現在までの経過時間が一定時間よりも小さい場合、前記帰属端末の端末情報を前記データ管理装置へ要求しない端末情報要求ステップと、
を有することを特徴とする信号制御方法。
【請求項４】
前記端末情報要求ステップにおいて、
前記経過時間が一定時間よりも大きい場合、前記帰属端末の端末情報を前記データ管理装置へ要求することを特徴とする請求項３に記載の信号制御方法。
【発明の詳細な説明】
【技術分野】
【０００１】
本発明は、グルーピングされた端末からの信号を制御する技術に関する。
【背景技術】
【０００２】
信号制御装置１とデータ管理装置３で構成され、グルーピングされた複数の端末Ａ〜Ｄを管理する端末管理システム１００がある（図１参照）。信号制御装置１は、自装置に接続された端末からの信号（例えば、ＳＩＰ信号）を制御し、その端末に関する端末情報をデータ管理装置３から取得して保持する。データ管理装置３は、端末と当該端末が属する信号制御装置１との帰属関係を保持し、同じグループに属する端末が帰属先を変更した場合には帰属関係を変更する。
【０００３】
ここで、図８を参照しながら、この端末管理システム１００で行われる帰属関係の更新方法について説明する。移行元の信号制御装置には１ａの符号を付し、移行先の信号制御装置には１ｂの符号を付している。端末Ａ〜Ｄは、いずれの信号制御装置１ａ，１ｂにも帰属可能なグルーピングされた端末である。データ管理装置３は、各端末Ａ〜Ｄと当該各端末Ａ〜Ｄが帰属している信号制御装置１との帰属関係を保持している。
【０００４】
新たに設置された移行先の信号制御装置１ｂは、端末情報を何ら保持していないため、端末Ａ，Ｂからの信号を受信した契機に、データ管理装置３から端末グループ全体の端末情報（帰属情報を含む）をダウンロードする。その後、データ管理装置３は、その端末Ａ，Ｂと新たな信号制御装置１ｂとの帰属関係を保持すると共に、これまでに保持していた各端末Ａ，Ｂと他の信号制御装置１ａとの既存の帰属関係を削除する。これにより、端末の帰属関係が更新される。そして、移行元の信号制御装置１ａへ帰属情報及び端末情報の削除信号を送信すると、その削除信号を受け取った信号制御装置１ａは、保持していた帰属情報と端末情報を削除する。
【０００５】
その後、今度は端末Ｃ，Ｄから移行元の信号制御装置１ａへ信号が送信されると、当該移行元の信号制御装置１ａは、先で行った削除により端末情報を保持していないため、端末Ｃ，Ｄからの信号を受信した契機に、データ管理装置３から端末グループ全体の端末情報をダウンロードする。その後、データ管理装置３は、その端末Ｃ，Ｄと信号制御装置１ａとの帰属関係を新たに保持すると共に、これまでに保持していた各端末Ｃ，Ｄと信号制御装置１ｂとの既存の帰属関係を削除することにより、端末の帰属関係を再び更新する。そして、移行先の信号制御装置１ｂへ帰属情報及び端末情報の削除信号を送信すると、その削除信号を受け取った信号制御装置１ｂは、保持していた帰属情報と端末情報を削除する。
【先行技術文献】
【非特許文献】
【０００６】
【非特許文献１】“Diameter Session Initiation Protocol (SIP) Application”、RFC 4740、［online］、［平成26年5月16日検索］、＜URL: https://tools.ietf.org/html/rfc4740＞
【発明の概要】
【発明が解決しようとする課題】
【０００７】
そのため、グルーピングされた端末が別々の信号制御装置に帰属している場合、端末契機の信号によりデータ管理装置内における帰属先の変更処理が繰り返されるという課題があった。
【０００８】
本発明は、上記事情を鑑みてなされたものであり、データ管理装置で行われる帰属先の変更処理の繰り返しを抑制することを目的とする。
【課題を解決するための手段】
【０００９】
以上の課題を解決するため、請求項１に記載の信号制御装置は、グルーピングされた端末からの信号を契機に前記端末の端末情報をデータ管理装置へ要求する信号制御装置において、前記データ管理装置は、前記端末情報の要求に基づき前記端末が帰属する帰属先の信号制御装置を変更する装置であって、前記信号制御装置は、取得していた端末情報を削除するための削除要求を前記データ管理装置から受信した際に記憶しておく削除要求記憶手段と、帰属している帰属端末から信号を受信した後、前記削除要求を受信しており、かつ、前記削除要求を受信後の任意の時刻から現在までの経過時間が一定時間よりも小さい場合、前記帰属端末の端末情報を前記データ管理装置へ要求しない端末情報要求手段と、を有することを要旨とする。
【００１０】
本発明によれば、信号制御装置は、取得していた端末情報を削除するための削除要求をデータ管理装置から受信した際に記憶しておき、帰属している帰属端末から信号を受信した後、その削除要求を受信しており、かつ、その削除要求を受信後の任意の時刻から現在までの経過時間が一定時間よりも小さい場合、先の帰属端末の端末情報をデータ管理装置へ要求しないため、端末情報の要求に基づきデータ管理装置で行われる帰属先の変更処理の繰り返しを抑制できる。
【００１１】
請求項２に記載の信号制御装置は、請求項１に記載の信号制御装置において、前記端末情報要求手段は、前記経過時間が一定時間よりも大きい場合、前記帰属端末の端末情報を前記データ管理装置へ要求することを要旨とする。
【００１２】
請求項３に記載の信号制御方法は、グルーピングされた端末からの信号を契機に前記端末の端末情報をデータ管理装置へ要求する信号制御装置で行う信号制御方法において、前記データ管理装置は、前記端末情報の要求に基づき前記端末が帰属する帰属先の信号制御装置を変更する装置であって、前記信号制御装置により、取得していた端末情報を削除するための削除要求を前記データ管理装置から受信した際に削除要求記憶手段に記憶しておく記憶ステップと、帰属している帰属端末から信号を受信した後、前記削除要求を受信しており、かつ、前記削除要求を受信後の任意の時刻から現在までの経過時間が一定時間よりも小さい場合、前記帰属端末の端末情報を前記データ管理装置へ要求しない端末情報要求ステップと、を有することを要旨とする。
【００１３】
請求項４に記載の信号制御方法は、請求項３に記載の信号制御方法において、前記端末情報要求ステップでは、前記経過時間が一定時間よりも大きい場合、前記帰属端末の端末情報を前記データ管理装置へ要求することを要旨とする。
【発明の効果】
【００１４】
本発明によれば、データ管理装置で行われる帰属先の変更処理の繰り返しを抑制できる。
【図面の簡単な説明】
【００１５】
【図１】端末管理システムの全体構成を示す図である。
【図２】発明の概要を説明するための図である。
【図３】信号制御装置の機能ブロック構成を示す図である。
【図４】信号制御装置で保持する内部データの例を示す図である。
【図５】信号拒否時の端末管理処理フローのシーケンスを示す図である。
【図６】信号非拒否時の端末管理処理フローのシーケンスを示す図である。
【図７】信号制御装置の更なる機能を説明するための図である。
【図８】帰属関係データの更新方法を説明するための図である。
【発明を実施するための形態】
【００１６】
以下、本発明を実施する一実施の形態について図面を用いて説明する。
【００１７】
図１は、本実施の形態に係る端末管理システム１００の全体構成を示す図である。この端末管理システム１００は、前述した従来の構成と同様に、信号制御装置１と、データ管理装置３と、加入者情報管理装置５と、を備えて構成される。
【００１８】
信号制御装置１は、自装置に接続された端末からの信号を制御する装置であり、グルーピングされた端末からの信号を契機に当該端末の端末情報をデータ管理装置３へ要求する。なお、端末の移行元の信号制御装置１には１ａの符号を付し、移行先の信号制御装置１には１ｂの符号を付している。
【００１９】
データ管理装置３は、端末と当該端末が帰属する信号制御装置１との帰属関係データを管理する装置であり、信号制御装置１からの端末情報の要求に基づき端末が帰属する帰属先の信号制御装置１を変更する。
【００２０】
加入者情報管理装置５は、データ管理装置３の加入者情報等を保守者が管理するための装置である。
【００２１】
本発明では、図２に示すように、グルーピングされた端末の一部（端末Ａ，Ｂ）が信号制御装置１ａから信号制御装置１ｂへ移行し、移行した端末Ａ，Ｂからの信号を契機にデータ管理装置３から移行元の信号制御装置１ａへ帰属情報及び端末情報の削除信号が送信された場合、当該移行元の信号制御装置１ａにおいて、まず、その削除信号を受信したことを記録しておく。
【００２２】
そして、移行元の端末Ｃ，Ｄから信号が送信された場合、移行元の信号制御装置１ａにおいて、次に、帰属情報及び端末情報の削除信号を受信済みであるか否かを確認し、その削除信号を受信済みであり、かつ、その削除信号に基づき端末Ｃ，Ｄの状態を登録状態から初期状態へ更新した時刻から現在時刻までの経過時間が指定時間よりも小さい場合には、データ管理装置３と連携することなく、移行元の端末へ信号拒否信号を返却する。一方、その経過時間が指定時間よりも大きい場合には、削除信号を受信したことを削除して、データ管理装置３へ端末情報を要求する。
【００２３】
これにより、データ管理装置３での帰属先の変更処理が指定時間の経過後に纏めて行われるので、データ管理装置３における帰属先変更の繰り返し処理が抑制される。
【００２４】
そこで、本実施の形態に係る信号制御装置１は、図３に示すように、信号受信遷移管理機能部１１と、データ管理装置連携抑止機能部１２と、初期状態遷移状況クリア機能部１３と、データ記憶機能部１４と、を備えて構成される。
【００２５】
データ記憶機能部１４は、信号受信遷移管理機能部１１、データ管理装置連携抑止機能部１２、初期状態遷移状況クリア機能部１３で処理するためのデータを記憶する。例えば、図４に示すような内部データを記憶する。
【００２６】
信号受信遷移管理機能部１１は、信号受信状態と初期信号受信時刻（図４参照）を管理し、更に、データ管理装置３からの帰属情報及び端末情報の削除信号を受信した契機で当該削除信号の受信情報を管理する。信号受信状態とは、帰属している端末から信号を受信したか否か表す。端末から信号を受信していない場合は「初期状態」が設定され、受信した場合は「端末登録」が設定される。初期信号受信時刻とは、端末から信号を初めて受信した時刻を表す。
【００２７】
データ管理装置連携抑止機能部１２は、端末から信号が送信された場合、帰属情報及び端末情報の削除信号の受信情報の有無を確認し、削除信号の受信情報があり、かつ、その削除信号に基づき端末の状態を「端末登録」から「初期状態」へ更新した時刻から現在時刻までの経過時間が指定時間よりも小さい場合、信号送信元の端末へ信号拒否信号を返却する。指定時間とは、信号制御装置１が内部のコンフィグで管理する内部管理値であり、本システムの利用形態に応じた値が設定される。なお、経過時間は、削除信号を受信後の任意の時刻からカウントしても構わない。
【００２８】
初期状態遷移状況クリア機能部１３は、データ管理装置連携抑止機能部１２での判定の結果、上記経過時間が指示時間よりも大きい場合、管理していた帰属情報及び端末情報の削除信号の受信情報を削除し、データ管理装置１に対して信号を送信してきた端末の端末情報を要求する。
【００２９】
次に、端末管理システム１００で行う端末管理方法について説明する。図５は、端末管理処理フローのシーケンスを示す図である。
【００３０】
まず、新たに設置された移行先の信号制御装置１ｂは、帰属先を自装置へ移行した端末Ａから信号を受信すると（ステップＳ１０１）、自装置は端末情報を何ら保持していないので、端末グループ全体の端末情報をダウンロードするため、データ管理装置３へ端末情報を要求する（ステップＳ１０２）。
【００３１】
次に、データ管理装置３は、信号制御装置１ｂからの端末情報要求に基づき端末Ａと当該信号制御装置１ｂとの帰属関係を保持すると共に、これまでに保持していた端末Ａと移行元の信号制御装置１ａとの既存の帰属関係を削除する（ステップＳ１０３）。これにより、端末Ａの帰属関係が更新される。その後、移行元の信号制御装置１ａへ帰属情報及び端末情報の削除信号を送信する（ステップＳ１０４）。
【００３２】
次に、移行元の信号制御装置１ａは、データ管理装置３から帰属情報及び端末情報の削除信号を受信すると、信号受信遷移管理機能部１１が、データ記憶機能部１４で管理している内部データの信号受信状態を「端末登録」から「初期状態」へ変更し、その変更した時刻を初期信号受信時刻に設定し、更に、信号受信遷移状況の欄内に「帰属＆端末情報削除信号受信済」を設定する（ステップＳ１０５）。その後、データ管理装置３へ削除完了通知を送信する（ステップＳ１０６）。
【００３３】
次に、移行元の信号制御装置１ａは、移行元の端末Ｃから信号を受信すると（ステップＳ１０７）、データ管理装置連携抑止機能部１２が、内部データの信号受信遷移状況の欄を参照して、「帰属＆端末情報削除信号受信済」が設定されているかを確認する（ステップＳ１０８）。そして、その削除信号に基づき端末の状態を「端末登録」から「初期状態」へ更新した時刻（初期信号受信時刻の欄内に設定された時刻）から現在時刻までの経過時間が指定時間よりも小さいか否かを判定する（ステップＳ１０９）。ここで、「帰属＆端末情報削除信号受信済」が設定され、かつ、その経過時間が指定時間よりも小さい場合、データ管理装置３へ端末Ｃの端末情報を要求することなく、移行元の端末Ｃへ信号拒否信号を送信する（ステップＳ１１０）。
【００３４】
すなわち、指定時間を経過する前に端末から信号を受信した場合にはデータ管理装置３に端末情報を要求しないため、その要求に基づく帰属先の変更処理がデータ管理装置３で行われないことから、データ管理装置３での帰属先の変更処理が抑止できる。
【００３５】
続いて、図６を参照しながら、その経過時間が指定時間よりも大きい場合について説明する。ステップＳ２０１〜Ｓ２０８の処理はステップＳ１０１〜Ｓ１０８の処理と同じである。ステップＳ２０９以降の処理を説明する
移行元の信号制御装置１ａにおいて、データ管理装置連携抑止機能部１２が、算出した経過時間が指定時間よりも大きいことを確認すると（ステップＳ２０９）、初期状態遷移状況クリア機能部１３が、内部データの信号受信状態を「初期状態」から「端末登録」へ変更し、初期信号受信時刻を削除し、更に、信号受信遷移状況の欄内に設定された「帰属＆端末情報削除信号受信済」を削除する（ステップＳ２１０）。その後、移行元の端末Ｃに関する端末情報をデータ管理装置３へ要求する（ステップＳ２１１）。
【００３６】
なお、信号受信遷移管理機能部１１は、図７に示すように、端末から信号の契機に代えて、加入者情報管理装置５からの保守／ＳＯ（サービスオーダ）の信号を契機に「帰属＆端末情報削除信号受信済」を設定することも可能である。この場合、信号制御装置１は、受信した帰属情報及び端末情報の削除信号が保守コマンド又はＳＯによるものであるかを判定し、保守コマンドやＳＯによる削除信号の場合、その削除信号の受信情報を保守コマンド／ＳＯに関連付けて管理する。例えば、信号受信遷移管理機能部１１は、その削除信号にＳＯの識別子等が含まれていれば保守コマンド／ＳＯを関連付けて管理する。これにより、移行先の端末Ａから信号が送信される前であっても、移行元の端末Ｃからの信号を信号制御装置１で強制的に拒否することが可能となる。
【００３７】
以上より、本実施の形態によれば、信号制御装置１は、取得していた端末情報を削除するための削除要求をデータ管理装置３から受信した際に記憶しておき、帰属している端末Ｃから信号を受信した後、その削除要求を受信しており、かつ、その削除要求に基づき端末の状態を「端末登録」から「初期状態」へ更新した時刻から現在時刻までの経過時間が指定時間よりも小さい場合、端末Ｃの端末情報をデータ管理装置へ要求しないため、端末情報の要求に基づきデータ管理装置３で行われる帰属先の変更処理の繰り返しを抑制できる。また、複数の信号制御装置に帰属可能なグルーピングされた端末が移行元の信号制御装置１ａから移行先の信号制御装置１ｂへ端末毎に移行等した際、移行先へ移行した端末から順次信号の送信受信が可能となる。
【符号の説明】
【００３８】
１００…端末管理システム
１…信号制御装置
１ａ…移行元の信号制御装置
１ｂ…移行先の信号制御装置
１１…信号受信遷移管理機能部
１２…データ管理装置連携抑止機能部
１３…初期状態遷移状況クリア機能部
１４…データ記憶機能部
３…データ管理装置
５…加入者情報管理装置
Ａ〜Ｄ…端末
Ｓ１０１〜Ｓ１１０、Ｓ２０１〜Ｓ２１１…ステップ
【図１】
2015231061.tif 000003
【図２】
2015231061.tif 000004
【図３】
2015231061.tif 000005
【図４】
2015231061.tif 000006
【図５】
2015231061.tif 000007
【図６】
2015231061.tif 000008
【図７】
2015231061.tif 000009
【図８】
2015231061.tif 000010